(57)【要約】【課題】熱変色性インキによる２種類の筆跡を１本の筆記具で得ることができる熱変色性筆記具を提供する。【解決手段】軸筒４の一端にボールペンチップよりなる第１のペン先２Ａを設け且つ軸筒４の他端に多孔質ペン体からなる第２のペン先２Ｂを設ける。軸筒４内に第１の熱変色性インキ３Ａ及び第２の熱変色性インキ３Ｂを収容する。第１のペン先２Ａ側に第１のキャップ９Ａを装着可能に設け、前記第２のペン先２Ｂ側に第２のキャップ９Ｂを装着可能に設ける。第１のキャップ９Ａの頂部または第２のキャップ９Ｂの頂部に摩擦部９１Ａ，９１Ｂを設ける。第１のペン先２Ａによる熱変色性インキの筆跡及び第２のペン先２Ｂによる熱変色性インキの筆跡の各々を前記摩擦部９１Ａ，９１Ｂによって摩擦し、その際に生じる摩擦熱で前記筆跡の各々が熱変色可能である。【選択図】  図１
2008273076.tif 000002
【特許請求の範囲】
【請求項１】
軸筒の一端にボールペンチップよりなる第１のペン先を設け且つ軸筒の他端に多孔質ペン体からなる第２のペン先を設け、軸筒内に第１の熱変色性インキ及び第２の熱変色性インキを収容し、前記第１のペン先から前記第１の熱変色性インキが吐出可能であり、前記第２のペン先から前記第２の熱変色性インキが吐出可能であり、前記第１のペン先側に第１のキャップを装着可能に設け、前記第２のペン先側に第２のキャップを装着可能に設け、前記第１のキャップの頂部または第２のキャップの頂部に摩擦部を設け、前記第１のペン先による熱変色性インキの筆跡及び前記第２のペン先による熱変色性インキの筆跡の各々を前記摩擦部によって摩擦し、その際に生じる摩擦熱で前記筆跡の各々が熱変色可能であることを特徴とする熱変色性筆記具。
【請求項２】
前記第１の熱変色性インキの発色状態の色と前記第２の熱変色性インキの発色状態の色とが異なる請求項１記載の熱変色性筆記具。
【請求項３】
前記第１の熱変色性インキ及び第２の熱変色性インキの各々の、摩擦部の摩擦熱による変色温度を２５℃〜９５℃に設定した請求項１または２記載の熱変色性筆記具。
【請求項４】
軸筒の一端にボールペンチップよりなる第１のペン先を設け且つ軸筒の他端に多孔質ペン体からなる第２のペン先を設け、軸筒内に熱変色性インキ及び非熱変色性インキを収容し、前記第１のペン先から前記熱変色性インキまたは非熱変色性インキの中の一方が吐出可能であり、前記第２のペン先から前記熱変色性インキまたは非熱変色性インキの中の他方が吐出可能であり、前記第１のペン先側に第１のキャップを装着可能に設け、前記第２のペン先側に第２のキャップを装着可能に設け、前記第１のキャップの頂部または第２のキャップの頂部に摩擦部を設け、前記熱変色性インキの筆跡を前記摩擦部によって摩擦し、その際に生じる摩擦熱で前記筆跡が熱変色可能であることを特徴とする熱変色性筆記具。
【請求項５】
前記熱変色性インキの、摩擦部の摩擦熱による変色温度を２５℃〜９５℃に設定した請求項４記載の熱変色性筆記具。
【発明の詳細な説明】
【技術分野】
【０００１】
本発明は、熱変色性筆記具に関する。詳細には、熱変色性インキを内蔵した熱変色性筆記具に関する。
【背景技術】
【０００２】
従来、熱変色性インキを内蔵した熱変色性筆記具において、特許文献１には、熱変色性インキによる筆跡を摩擦熱で熱変色させるための摩擦体を、キャップの頂部に設ける構成や、軸胴の後端に設ける構成が記載されている。
【０００３】
【特許文献１】特開２００４−１４８７４４号公報
【発明の開示】
【発明が解決しようとする課題】
【０００４】
前記従来の熱変色性筆記具は、１本の軸胴に１種類のペン先が軸胴に取り付けられている構成であり、２種類の筆跡（例えばペン先種類やインキ色の異なる筆跡）を得るには２本の筆記具が必要となるため、用意する筆記具の総本数が増加し、携帯や保管に不便である。
【０００５】
本発明は、前記従来の問題点を解決するものであって、熱変色性インキによる２種類の筆跡を１本の筆記具で得ることができる熱変色性筆記具を提供しようとするものである。また、本発明は、熱変色性インキと非熱変色性インキによる２種類の筆跡を１本の筆記具で得ることができる熱変色性筆記具を提供しようとするものである。
【課題を解決するための手段】
【０００６】
本願の第１の発明は、軸筒４の一端にボールペンチップよりなる第１のペン先２Ａを設け且つ軸筒４の他端に多孔質ペン体からなる第２のペン先２Ｂを設け、軸筒４内に第１の熱変色性インキ及び第２の熱変色性インキを収容し、前記第１のペン先２Ａから前記第１の熱変色性インキが吐出可能であり、前記第２のペン先２Ｂから前記第２の熱変色性インキが吐出可能であり、前記第１のペン先２Ａ側に第１のキャップ９Ａを装着可能に設け、前記第２のペン先２Ｂ側に第２のキャップ９Ｂを装着可能に設け、前記第１のキャップ９Ａの頂部または第２のキャップ９Ｂの頂部に摩擦部９１Ａ，９１Ｂを設け、前記第１のペン先２Ａによる熱変色性インキの筆跡及び前記第２のペン先２Ｂによる熱変色性インキの筆跡の各々を前記摩擦部９１Ａ，９１Ｂによって摩擦し、その際に生じる摩擦熱で前記筆跡の各々が熱変色可能であることを要件とする。
【０００７】
前記第１の発明の熱変色性筆記具１は、ボールペンチップと多孔質ペン体とによる熱変色性インキによる２種類の筆跡を１本の筆記具で得ることができる。また、前記第１の発明の熱変色性筆記具１は、第１のペン先２Ａによる第１の熱変色性インキの筆跡及び第２のペン先２Ｂによる第２の熱変色性インキの筆跡の各々が摩擦部９１Ａ，９１Ｂによって熱変色可能であるため、第１のペン先２Ａによる筆跡と第２のペン先２Ｂによる筆跡（即ち２種類の筆跡）を、摩擦部９１Ａ，９１Ｂによって一度に熱変色させることができる。尚、前記摩擦部９１Ａ，９１Ｂは、第１のキャップ９Ａ、第２のキャップ９Ｂの両方に設けてもよいし、第１のキャップ９Ａ、第２のキャップ９Ｂのいずれか一方に設けてもよい。
【０００８】
本願の第２の発明は、前記第１の発明において、前記第１の熱変色性インキの発色状態の色と前記第２の熱変色性インキの発色状態の色とが異なることを要件とする。
【０００９】
前記第２の発明の熱変色性筆記具１は、第１の熱変色性インキと第２の熱変色性インキによる発色状態の色が異なる２種類の筆跡を、摩擦部９１Ａ，９１Ｂの摩擦熱により一度に熱変色させることができる。また、前記第２の発明の熱変色性筆記具１は、第１のペン先２Ａによる筆跡と、第２のペン先２Ｂによる筆跡が重なった状態での場合でも、異なる発色状態の色によって前記２種類の筆跡を識別できる。
【００１０】
本願の第３の発明は、前記第１または第２の発明において、前記第１の熱変色性インキ及び第２の熱変色性インキの各々の、摩擦部９１Ａ，９１Ｂの摩擦熱による変色温度を２５℃〜９５℃（好ましくは３６℃〜９０℃）に設定したことを要件とする。
【００１１】
前記第３の発明の熱変色性筆記具１は、摩擦部９１Ａ，９１Ｂによる摩擦熱によって、第１のペン先２Ａと第２のペン先２Ｂとによる２種類の筆跡を、確実に、一度に熱変色させることができる。もし、第１の熱変色性インキの変色温度と第２の熱変色性インキの変色温度のいずれかが、前記温度範囲から外れている場合、２種類の筆跡を、一度に熱変色できないおそれがある。
【００１２】
本願の第４の発明は、軸筒４の一端にボールペンチップよりなる第１のペン先２Ａを設け且つ軸筒４の他端に多孔質ペン体からなる第２のペン先２Ｂを設け、軸筒４内に熱変色性インキ及び非熱変色性インキを収容し、前記第１のペン先２Ａから前記熱変色性インキまたは非熱変色性インキの中の一方が吐出可能であり、前記第２のペン先２Ｂから前記熱変色性インキまたは非熱変色性インキの中の他方が吐出可能であり、前記第１のペン先２Ａ側に第１のキャップ９Ａを装着可能に設け、前記第２のペン先２Ｂ側に第２のキャップ９Ｂを装着可能に設け、前記第１のキャップ９Ａの頂部または第２のキャップ９Ｂの頂部に摩擦部９１Ａ，９１Ｂを設け、前記熱変色性インキの筆跡を前記摩擦部９１Ａ，９１Ｂによって摩擦し、その際に生じる摩擦熱で前記筆跡が熱変色可能であることを要件とする。
【００１３】
前記第４の発明の熱変色性筆記具１は、ボールペンチップと多孔質ペン体とによる、熱変色性インキによる筆跡と非熱変色性インキによる筆跡の２種類の筆跡を１本の筆記具で得ることができる。また、前記第４の発明の熱変色性筆記具１は、熱変色性インキによる筆跡を、摩擦部９１Ａ，９１Ｂによって熱変色可能であるため、熱変色性インキによる筆跡と非熱変色性インキによる筆跡とが重なった状態または近接した状態の場合でも、摩擦部９１Ａ，９１Ｂによって熱変色性インキによる筆跡のみを熱変色させることができる。尚、前記摩擦部９１Ａ，９１Ｂは、第１のキャップ９Ａ、第２のキャップ９Ｂの両方に設けてもよいし、第１のキャップ９Ａ、第２のキャップ９Ｂのいずれか一方に設けてもよい。
【００１４】
本願の第５の発明は、前記第４の発明において、前記熱変色性インキの、摩擦部９１Ａ，９１Ｂの摩擦熱による変色温度を２５℃〜９５℃（好ましくは３６℃〜９０℃）に設定したことを要件とする。
【００１５】
前記第５の発明の熱変色性筆記具１は、摩擦部９１Ａ，９１Ｂによる摩擦熱によって、熱変色性インキによる筆跡を、確実に、熱変色させることができる。もし、熱変色性インキの変色温度が、前記温度範囲から外れている場合、２種類の筆跡を、熱変色できないおそれがある。
【００１６】
・摩擦部
尚、本発明で、前記摩擦部９１Ａ，９１Ｂは軟質材料からなることが好ましい。前記摩擦部９１Ａ，９１Ｂを構成する軟質材料とは、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部９１Ａ，９１Ｂを構成する軟質材料は、高摩耗性の弾性材料（例えば、消しゴム等）からなるものよりも、低摩耗性の弾性材料からなるものが、消しカスが生じない点で有効である。前記摩擦部９１Ａ，９１Ｂは、キャップの頂部に２色成形により一体に形成する構成、またはキャップと別部品からなる摩擦部９１Ａ，９１Ｂをキャップ頂部に固着（例えば、嵌着、圧入、螺着、接着）する構成が挙げられる。
【００１７】
・ペン先
前記ボールペンチップは、チップ本体の前端に回転可能にボールが抱持された構成である。また、前記ボールペンチップは、ボールをチップ本体内から前方に弾発体により付勢し、ボールをチップ本体のカシメ部（前端縁部）内面に圧接させる構成が有効である。
【００１８】
前記多孔質ペン体は、例えば、繊維加工体または多孔質気泡体からなるペン体が挙げられる。前記多孔質ペン体は、前端部が、チゼル形状、砲弾形状に形成される。
【００１９】
・熱変色性インキ
尚、本発明で、前記熱変色性インキは、可逆熱変色性インキが好ましい。前記可逆熱変色性インキは、発色状態から加熱により消色する加熱消色型、発色状態又は消色状態を互変的に特定温度域で記憶保持する色彩記憶保持型、又は、消色状態から加熱により発色し、発色状態からの冷却により消色状態に復する加熱発色型等、種々のタイプを単独又は併用して構成することができる。
【００２０】
また、前記可逆熱変色性インキに用いられる色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【００２１】
本発明では、図３に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、又は完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図３において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２２】
前記実質的二相保持温度域は、目的に応じて設定できるが、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができると共に、可逆熱変色性インキによる筆跡を摩擦部９１Ａ，９１Ｂによる摩擦熱で容易に変色することができる。
【００２３】
前記可逆熱変色性マイクロカプセル顔料は、粒子径の平均値が０．５〜５．０μｍ、好ましくは１〜４μｍの範囲にあることが好ましい。平均粒子径が５．０μｍを越える系では、ボールペンチップや多孔質ペン体の毛細間隙からの流出性が低下し、平均粒子径が０．５μｍ以下の系では高濃度の発色性を示し難くなる。
【００２４】
前記可逆熱変色性マイクロカプセル顔料は、インキ組成物全量に対し、２〜５０重量％（好ましくは３〜４０重量％、更に好ましくは、４〜３０重量％）配合することができる。２重量％未満では発色濃度が不充分であり、５０重量％を越えるとインキ流出性が低下し、筆記性が阻害される。
【発明の効果】
【００２５】
本発明は、熱変色性インキによる２種類の筆跡を１本の筆記具で得ることができる。
【００２６】
また、本発明は、熱変色性インキと非熱変色性インキによる２種類の筆跡を１本の筆記具で得ることができる。
【発明を実施するための最良の形態】
【００２７】
＜第１の実施の形態＞
本発明の熱変色性筆記具の第１の実施の形態を図１に示す。
本実施の形態の熱変色性筆記具１は、軸筒４と、軸筒４の一端に設けたボールペンチップからなる第１のペン先２Ａと、軸筒４の他端に設けた多孔質ペン体からなる第２のペン先２Ｂと、前記第１のペン先２Ａ側の軸筒４に装着可能な第１のキャップ９Ａと、前記第２のペン先２Ｂ側の軸筒４に装着可能な第２のキャップ９Ｂとからなる。前記軸筒４内には、第１のペン先２Ａを備えたボールペンレフィルと、第２のペン先２Ｂが接続されたインキ吸蔵体７とが収容される。前記軸筒４の一端より前記第１のペン先２Ａが突出され、前記軸筒４の他端より前記第２のペン先２Ｂが突出される。
【００２８】
前記軸筒４は、円筒状の軸筒本体４１と、該軸筒本体４１の両端に取り付けられる第１の先軸４２Ａ及び第２の先軸４２Ｂとからなる。前記第１の先軸４２Ａ及び第２の先軸４２Ｂは、螺合または圧入により軸筒本体４１と着脱自在取り付けられる。前記軸筒本体４１は、両端が開口され、内部に隔壁が形成される。
【００２９】
・ボールペンレフィル
前記ボールペンレフィルは、先端にボールペンチップからなる第１のペン先２Ａを備え、内部に第１の熱変色性インキ３が収容される。前記第１の熱変色性インキ３が前記第１のペン先２Ａより外部に吐出され、第１の熱変色性インキ３による筆跡を得ることができる。前記第１のペン先２Ａ内には、弾発体（スプリング）が収容される。前記弾発体により、第１のペン先２Ａのボールを、前方に付勢し且つ第１のペン先２Ａの内向きのカシメ部内面（先端縁部内面）に圧接させ、非筆記時のペン先からのインキ漏出及び空気混入を防止する。
【００３０】
前記第１のペン先２Ａは、ペン先ホルダー５を介してインキ収容筒６に取り付けられる。具体的には、前記ペン先ホルダー５の一端に第１のペン先２Ａが固着され、前記ペン先ホルダー５の他端が前記インキ収容筒６の開口部に固着される。前記ペン先ホルダー５は、外周面に鍔部を備え、該鍔部が、第１の先軸４２Ａ内面と、軸筒本体４１の一端とにより挟持される。
【００３１】
・第１の熱変色性インキ
前記インキ収容筒６内に第１の熱変色性インキ３が収容される。前記第１の熱変色性インキ３は、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００３２】
前記インキ収容筒６内の第１の熱変色性インキ３の後端には、追従体３１が収容される。前記追従体３１は、インキの消費に伴い前進し且つインキの後退（即ち逆流）を防止するものであり、例えば、高粘度流体、弾性材料よりなる可動栓、または高粘度流体中に固体物を収容させた構成等が挙げられる。
【００３３】
・第１のキャップ
前記第１のキャップ９Ａは、合成樹脂の射出成形より得られる円筒状部材である。前記第１のキャップ９Ａは、内部に弾性材料よりなるペン先シール部材９３Ａを備える。前記第１のキャップ９Ａを第１のペン先２Ａ側の軸筒４外周面に装着した際、前記ペン先シール部材９３Ａが、第１のペン先２Ａの先端と密接し、第１のペン先２Ａの先端を密封する。前記第１のキャップ９Ａの側壁には、クリップが一体または別部品の取り付けにより設けられる。
【００３４】
前記第１のキャップ９Ａの頂部（即ち第１のキャップ９Ａの閉鎖側端部）には、軟質材料（例えば、ＳＢＳ樹脂、ＳＥＢＳ樹脂）よりなる摩擦部９１Ａが取り付けられる。尚、前記摩擦部９１Ａは、第１のキャップ９Ａと２色成形により一体に形成することもできる。
【００３５】
・第２のペン先
前記第２のペン先２Ｂは、第２の先軸４２Ｂを介して軸筒本体４１の他端に取り付けられる。具体的には、前記第２の先軸４２Ｂの一端に第２のペン先２Ｂが固着され、前記第２の先軸４２Ｂの他端が前記軸筒本体４１の他端開口部に固着される。前記第２の先軸４２Ｂは、外周面に鍔部を備え、該鍔部が、軸筒本体４１の他端に当接される。前記第２のペン先２Ｂは、先端がチゼル状に形成される。
【００３６】
・第２の熱変色性インキ
前記第２のインキ吸蔵体７の内部に第２の熱変色性インキが含浸される。前記第２の熱変色性インキが前記第２のペン先２Ｂより外部に吐出され、第２の熱変色性インキによる筆跡を得ることができる。第２のインキ吸蔵体７は、多孔質材料（繊維加工体、多孔質気泡体）からなる。
【００３７】
前記第２の熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００３８】
前記第１の熱変色性インキ３の発色状態の色と前記第２の熱変色性インキとの発色状態の色が異なる。
【００３９】
・第２のキャップ
前記第２のキャップ９Ｂは、合成樹脂の射出成形より得られる円筒状部材である。前記第２のキャップ９Ｂは、第２のペン先２Ｂを使用しないとき、第２のペン先２Ｂ側の軸筒４の外周面（具体的には第２の先軸４２Ｂの外周面）に気密嵌合され、第２のペン先２Ｂを密封する。
【００４０】
前記第２のキャップ９Ｂの頂部（即ち第２のキャップ９Ｂの閉鎖側端部）には、軟質材料（例えば、ＳＢＳ樹脂、ＳＥＢＳ樹脂）よりなる摩擦部９１Ｂが取り付けられる。尚、前記摩擦部９１Ｂは、第２のキャップ９Ｂと２色成形により一体に形成することもできる。
【００４１】
・キャップの連結
第１のキャップ９Ａの頂部外周面の、露出する摩擦部９１Ａよりキャップ開口方向には、第２のキャップ９Ｂの開口部内周面が嵌合可能な嵌合部９２Ａが形成される。第２のキャップ９Ｂの頂部外周面の、露出する摩擦部９１Ｂよりキャップ開口方向には、第１のキャップ９Ａの開口部内周面が嵌合可能な嵌合部９２Ｂが形成される。
【００４２】
第１のペン先２Ａを使用する際、第１のキャップ９Ａの開口部内周面と第２のキャップ９Ｂの頂部外周面（即ち嵌合部９２Ｂ）とが嵌合する。第２のペン先２Ｂを使用する際、第２のキャップ９Ｂの開口部内周面と第１のキャップ９Ａの頂部外周面（即ち嵌合部９２Ａ）とが嵌合する。
【００４３】
＜第２の実施の形態＞
本発明の熱変色性筆記具の第２の実施の形態を図２に示す。
本実施の形態の熱変色性筆記具１は、軸筒４と、軸筒４の一端に設けたボールペンチップからなる第１のペン先２Ａと、軸筒４の他端に設けた多孔質ペン体からなる第２のペン先２Ｂと、前記第１のペン先２Ａ側の軸筒４に装着可能な第１のキャップ９Ａと、前記第２のペン先２Ｂ側の軸筒４に装着可能な第２のキャップ９Ｂとからなる。前記軸筒４内には、第１のペン先２Ａを備えたボールペンレフィルと、第２のペン先２Ｂが接続されたインキタンクとが収容される。前記軸筒４の一端より前記第１のペン先２Ａが突出され、前記軸筒４の他端より前記第２のペン先２Ｂが突出される。
【００４４】
前記軸筒４は、一端に第１のペン先２Ａを備えた第１の軸筒４Ａと、一端に第２のペン先２Ｂを備えた第２の軸筒４Ｂ（即ちインキタンク）とからなる。前記第１の軸筒４Ａの他端開口部に、前記第２の軸筒４Ｂの他端部が固着される。
【００４５】
・ボールペンレフィル
前記ボールペンレフィルは、先端にボールペンチップからなる第１のペン先２Ａを備え、内部に第１の熱変色性インキ３が収容される。前記第１の熱変色性インキ３が前記第１のペン先２Ａより外部に吐出され、第１の熱変色性インキ３による筆跡を得ることができる。前記第１のペン先２Ａ内には、弾発体（スプリング）が収容される。前記弾発体により、第１のペン先２Ａのボールを、前方に付勢し且つ第１のペン先２Ａの内向きのカシメ部内面（先端縁部内面）に圧接させ、非筆記時のペン先からのインキ漏出及び空気混入を防止する。
【００４６】
前記第１のペン先２Ａは、ペン先ホルダー５を介してインキ収容筒６に取り付けられる。具体的には、前記ペン先ホルダー５の一端に第１のペン先２Ａが固着され、前記ペン先ホルダー５の他端が前記インキ収容管の一端開口部に固着される。前記インキ収容筒６の他端開口部に、通気孔を備えた尾栓が取り付けられる。前記インキ収容筒６の後端（即ち尾栓）は、第２の軸筒４Ｂ（即ちインキタンク）の後端に当接される。
【００４７】
・第１の熱変色性インキ
前記インキ収容筒６内に第１の熱変色性インキ３が収容される。前記第１の熱変色性インキ３は、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００４８】
前記インキ収容筒６内の第１の熱変色性インキ３の後端には、追従体３１が収容される。前記追従体３１は、インキの消費に伴い前進し且つインキの後退（即ち逆流）を防止するものであり、例えば、高粘度流体、弾性材料よりなる可動栓、または高粘度流体中に固体物を収容させた構成等が挙げられる。
【００４９】
・第１のキャップ
前記第１のキャップ９Ａは、合成樹脂の射出成形より得られる円筒状部材である。前記第１のキャップ９Ａは、内部に弾性材料よりなるペン先シール部材９３Ａを備える。前記第１のキャップ９Ａを第１のペン先２Ａ側の軸筒４外周面に装着した際、前記ペン先シール部材９３Ａが、第１のペン先２Ａの先端と密接し、第１のペン先２Ａの先端を密封する。前記第１のキャップ９Ａの側壁には、クリップが一体または別部品の取り付けにより設けられる。
【００５０】
前記第１のキャップ９Ａの頂部（即ち第１のキャップ９Ａの閉鎖側端部）には、軟質材料（例えば、ＳＢＳ樹脂、ＳＥＢＳ樹脂）よりなる摩擦部９１Ａが取り付けられる。尚、前記摩擦部９１Ａは、第１のキャップ９Ａとの２色成形により一体に形成することもできる。
【００５１】
・第２のペン先
前記第２のペン先２Ｂは、インキタンクを構成する第２の軸筒４Ｂの開口部に、軸方向に摺動可能に取り付けられる。前記第２の軸筒４Ｂの開口部には、第２のペン先２Ｂの軸方向内方への押圧（第２のペン先２Ｂの筆記時の筆圧）により開口する弁装置８が設けられる。前記弁装置８は、第２のペン先２Ｂを一端に有する弁体８１と、前記弁体８１が密接可能な弁座８２と、前記弁体８１を軸方向外方に付勢する弾発体８３（コイルスプリング）と、前記弁体８１、前記弁座８２、及び前記弾発体８３を収容する弁収容筒８４とからなる。前記第２のペン先２Ｂは、先端がチゼル状に形成される。
【００５２】
・第２の熱変色性インキ
前記第２の軸筒４Ｂ（インキタンク）内に第２の熱変色性インキが収容される。前記第２の熱変色性インキが前記第２のペン先２Ｂより外部に吐出され、第２の熱変色性インキによる筆跡を得ることができる。
【００５３】
前記第２の熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００５４】
前記第１の熱変色性インキ３の発色状態の色と前記第２の熱変色性インキとの発色状態の色が異なる。
【００５５】
・第２のキャップ
前記第２のキャップ９Ｂは、合成樹脂の射出成形より得られる円筒状部材である。前記第２のキャップ９Ｂは、第２のペン先２Ｂを使用しないとき、第２のペン先２Ｂ側の軸筒４の外周面（具体的には第２の先軸４２Ｂの外周面）に気密嵌合され、第２のペン先２Ｂを密封する。
【００５６】
・キャップの連結
第１のキャップ９Ａの頂部外周面の、露出する摩擦部９１Ａよりキャップ開口方向には、第２のキャップ９Ｂの開口部内周面が嵌合可能な嵌合部９２Ａが形成される。
【００５７】
第２のペン先２Ｂを使用する際、第２のキャップ９Ｂの開口部内周面と第１のキャップ９Ａの頂部外周面（即ち嵌合部９２Ａ）とが嵌合する。
【００５８】
＜第３の実施の形態＞
本発明の第３の実施の形態の熱変色性筆記具１は、第１の実施の形態の熱変色性筆記具（図１）において、ボールペンレフィル内に熱変色性インキを収容し、インキ吸蔵体７内に非熱変色性インキを収容した構成である。他の構成及び作用は、第１の実施の形態（図１）と同様であるため、説明を省略する。
【００５９】
＜第４の実施の形態＞
本発明の第４の実施の形態の熱変色性筆記具１は、第１の実施の形態の熱変色性筆記具（図１）において、ボールペンレフィル内に非熱変色性インキを収容し、インキ吸蔵体７内に熱変色性インキを収容する構成である。他の構成及び作用は、第１の実施の形態（図１）と同様であるため、説明を省略する。
【００６０】
＜第５の実施の形態＞
本発明の第５の実施の形態の熱変色性筆記具１は、第２の実施の形態の熱変色性筆記具（図２）において、ボールペンレフィル内に熱変色性インキを収容し、インキタンク内に非熱変色性インキを収容した構成である。他の構成及び作用は、第２の実施の形態（図２）と同様であるため、説明を省略する。
【００６１】
＜第６の実施の形態＞
本発明の第６の実施の形態の熱変色性筆記具１は、第２の実施の形態の熱変色性筆記具（図２）において、ボールペンレフィル内に非熱変色性インキを収容し、インキタンク内に熱変色性インキを収容する構成である。他の構成及び作用は、第２の実施の形態（図２）と同様であるため、説明を省略する。
【図面の簡単な説明】
【００６２】
【図１】本発明の第１の実施の形態の縦断面図である。
【図２】本発明の第２の実施の形態の縦断面図である。
【図３】熱変色性インキの変色挙動を示す説明図である。
【符号の説明】
【００６３】
１  熱変色性筆記具
２Ａ  第１のペン先
２Ｂ  第２のペン先
３  第１の熱変色性インキ
３１  追従体
４  軸筒
４１  軸筒本体
４２Ａ  第１の先軸
４２Ｂ  第２の先軸
４Ａ  第１の軸筒
４Ｂ  第２の軸筒（インキタンク）
５  ペン先ホルダー
６  インキ収容筒
７  インキ吸蔵体
８  弁装置
８１  弁体
８２  弁座
８３  弾発体
８４  弁収容筒
９Ａ  第１のキャップ
９１Ａ  摩擦部
９２Ａ  嵌合部
９３Ａ  ペン先シール部材
９Ｂ  第２のキャップ
９１Ｂ  摩擦部
９２Ｂ  嵌合部
【図１】
2008273076.tif 000003
【図２】
2008273076.tif 000004
【図３】
2008273076.tif 000005